(57)【要約】【課題】原稿の読取及び画像の形成を同時に実行可能な画像処理装置を提供する。【解決手段】起動後に初めて画像の形成を実行させる場合、制御部１０は、画像読取部１５によって１枚目の原稿の読取が完了するまで画像形成部１７による画像の形成を実行させない。また、原稿載置台に複数の原稿が載置されており、複数の原稿を連続して読み取る場合、制御部１０は、画像形成部１７によって１枚目の原稿から読み取った画像データに基づく画像の形成が完了するまで画像読取部１５による原稿の読取を実行させない。【選択図】図１
2008311929.tif 000002
【特許請求の範囲】
【請求項１】
電力の供給が開始された場合に起動を実行する手段と、原稿の複写の指示を受け付ける受付手段と、該受付手段が複写の指示を受け付けた場合、原稿を読み取って画像データを取得する読取手段と、該読取手段が取得した画像データに基づく画像の形成を実行する形成手段とを備える画像処理装置において、
前記受付手段が複写の指示を受け付けた場合、起動後に画像の形成が実行されたか否かを判断する判断手段と、
該判断手段が画像の形成は実行されていないと判断した場合、前記読取手段が１枚目の原稿の読取を完了した後に、前記読取手段が取得した画像データに基づく画像の形成を前記形成手段に開始させる手段と、
前記読取手段が複数の原稿を連続して読み取る場合、前記１枚目の原稿から取得された画像データに基づく画像の形成が終了した後に、前記読取手段に２枚目以降の原稿の読取を開始させる手段と
を備えることを特徴とする画像処理装置。
【請求項２】
電力の供給が開始された場合に起動を実行する手段と、原稿の複写の指示を受け付ける受付手段と、該受付手段が複写の指示を受け付けた場合、原稿を読み取って画像データを取得する読取手段と、該読取手段が取得した画像データに基づく画像の形成を実行する形成手段と、該形成手段に所定のパルス長のパルスを入力することによって、入力したパルスのパルス長に応じた濃度での画像の形成を前記形成手段に開始させる制御手段とを備える画像処理装置において、
前記受付手段が複写の指示を受け付けた場合、起動後に画像の形成が実行されたか否かを判断する判断手段を備え、
前記制御手段は、前記判断手段が画像の形成は実行されていないと判断した場合、前記読取手段が１枚目の原稿から取得した画像データに基づく画像の形成を前記形成手段に開始させる際に、前記所定のパルス長よりも短いパルス長のパルスを前記形成手段に入力するように構成してあることを特徴とする画像処理装置。
【請求項３】
電力の供給が開始された場合に起動を実行する手段と、原稿の複写の指示を受け付ける受付手段と、該受付手段が複写の指示を受け付けた場合、原稿を読み取って画像データを取得する読取手段と、該読取手段が取得した画像データに基づく画像の形成を実行する形成手段とを備える画像処理装置において、
前記受付手段が複写の指示を受け付けた場合、起動後に画像の形成が実行されたか否かを判断する判断手段と、
該判断手段が画像の形成は実行されていないと判断した場合、所定の画像データに基づく画像の形成を前記形成手段に実行させ、該形成が完了した後に、前記読取手段が取得した画像データに基づく画像の形成を前記形成手段に開始させる手段と
を備えることを特徴とする画像処理装置。
【発明の詳細な説明】
【技術分野】
【０００１】
本発明は、原稿に形成された画像の複写ができる画像処理装置に関する。
【背景技術】
【０００２】
原稿を読み取って画像データを取得するスキャナ、画像データに基づく画像の形成を実行するプリンタ等を備えた複写機、複写機にファクシミリ通信機能又はネットワーク通信機能等を更に備えた複合機等が普及している。家庭用の複写機及び複合機では、小型化を図るために、スキャナにＣＩＳ（密着型イメージセンサ：Contact Image Sensor）が採用される場合が多い。ＣＩＳは、例えば、アレイ状に配列されたイメージセンサ及び光源等によって構成されており、ＣＩＳの光源としては、ＬＥＤ（Light Emitting Diode）をアレイ状に配列したＬＥＤ光源が利用される場合が多い。なお、特許文献１には、ＣＩＳで採用されるようなＬＥＤ光源が開示されている。
【０００３】
上述したような各機能を備えた複写機及び複合機は、例えば、スキャナによる読取系の処理と、プリンタによる記録系の処理とを同時に動作させて処理の高速化を図っている。各処理を同時に動作させた場合、動作するハードウェア各部への電力の供給量が増大するため、大容量の電源装置を備えることが必要となる。しかし、スキャナにＣＩＳを採用する装置は、安価な装置が多く、大容量の電源装置は高価であるため、大容量の電源装置の採用はできない場合が多い。
【０００４】
そこで、特許文献２では、ポリゴンモータの立ち上げ時又は定着器のヒートアップ時にスキャナによる原稿の読取速度を遅くして、スキャナが備えるモータによる消費電力を低減する画像処理装置が開示されている。特許文献２に開示された装置では、大容量の電源を備える必要がないので、装置の製造コストの増大を抑制できるとされている。
【特許文献１】特開平０６−０６２１８５号公報
【特許文献２】特開２０００−１３５６７号公報
【発明の開示】
【発明が解決しようとする課題】
【０００５】
ＬＥＤ光源を光源として利用するスキャナでは、ＬＥＤ光源と他のハードウェア素子とを電源装置に対して並列に接続している場合が多い。このように接続された構成において、電源投入直後にスキャナ及びプリンタを同時に動作させた場合、プリントヘッド等の記録系の素子へ大きな電流が流れるため、ＣＩＳ等の読取系の素子に印加される電圧に電圧降下が生じ、ＣＩＳのＬＥＤ光源の光量が低下すると共にＬＥＤ光源の光量にばらつきが生じるという問題を有する。このようにＬＥＤ光源の光量が低下してしまった場合、１枚目の原稿から読み取った画像データに基づいて記録用紙に形成した画像の濃度が薄くなり、画質の劣化が生じる。
【０００６】
本発明は斯かる事情に鑑みてなされており、原稿を読み取る際の光源の光量を確保し、原稿から取得した画像データに基づいて形成された画像の画質の劣化を防止できる画像処理装置の提供を目的とする。
【課題を解決するための手段】
【０００７】
本発明に係る画像処理装置は、電力の供給が開始された場合に起動を実行する手段と、原稿の複写の指示を受け付ける受付手段と、該受付手段が複写の指示を受け付けた場合、原稿を読み取って画像データを取得する読取手段と、該読取手段が取得した画像データに基づく画像の形成を実行する形成手段とを備える画像処理装置において、前記受付手段が複写の指示を受け付けた場合、起動後に画像の形成が実行されたか否かを判断する判断手段と、該判断手段が画像の形成は実行されていないと判断した場合、前記読取手段が１枚目の原稿の読取を完了した後に、前記読取手段が取得した画像データに基づく画像の形成を前記形成手段に開始させる手段と、前記読取手段が複数の原稿を連続して読み取る場合、前記１枚目の原稿から取得された画像データに基づく画像の形成が終了した後に、前記読取手段に２枚目以降の原稿の読取を開始させる手段とを備えることを特徴とする。
【０００８】
本発明によれば、画像処理装置は、原稿の複写の指示を受け付けた場合、起動してから画像の形成が実行されたか否かを判断し、画像の形成は実行されていないと判断した場合、１枚目の原稿の読取を完了した後に、１枚目の原稿から取得した画像データに基づく画像の形成を開始させる。また、画像処理装置は、複数の原稿を連続して読み取る場合、１枚目の原稿から取得された画像データに基づく画像の形成が終了した後に、２枚目以降の原稿の読取を開始させる。
【０００９】
本発明に係る画像処理装置は、電力の供給が開始された場合に起動を実行する手段と、原稿の複写の指示を受け付ける受付手段と、該受付手段が複写の指示を受け付けた場合、原稿を読み取って画像データを取得する読取手段と、該読取手段が取得した画像データに基づく画像の形成を実行する形成手段と、該形成手段に所定のパルス長のパルスを入力することによって、入力したパルスのパルス長に応じた濃度での画像の形成を前記形成手段に開始させる制御手段とを備える画像処理装置において、前記受付手段が複写の指示を受け付けた場合、起動後に画像の形成が実行されたか否かを判断する判断手段を備え、前記制御手段は、前記判断手段が画像の形成は実行されていないと判断した場合、前記読取手段が１枚目の原稿から取得した画像データに基づく画像の形成を前記形成手段に開始させる際に、前記所定のパルス長よりも短いパルス長のパルスを前記形成手段に入力するように構成してあることを特徴とする。
【００１０】
本発明によれば、画像処理装置は、所定のパルス長のパルスを形成手段に入力することによって、入力したパルスのパルス長に応じた濃度での画像の形成を形成手段に開始させる。画像処理装置は、原稿の複写の指示を受け付けた場合、起動してから画像の形成が実行されたか否かを判断し、画像の形成は実行されていないと判断した場合、１枚目の原稿から取得した画像データに基づく画像の形成を形成手段に開始させる際に、所定のパルス長よりも短いパルス長のパルスを形成手段に入力する。
【００１１】
本発明に係る画像処理装置は、電力の供給が開始された場合に起動を実行する手段と、原稿の複写の指示を受け付ける受付手段と、該受付手段が複写の指示を受け付けた場合、原稿を読み取って画像データを取得する読取手段と、該読取手段が取得した画像データに基づく画像の形成を実行する形成手段とを備える画像処理装置において、前記受付手段が複写の指示を受け付けた場合、起動後に画像の形成が実行されたか否かを判断する判断手段と、該判断手段が画像の形成は実行されていないと判断した場合、所定の画像データに基づく画像の形成を前記形成手段に実行させ、該形成が完了した後に、前記読取手段が取得した画像データに基づく画像の形成を前記形成手段に開始させる手段とを備えることを特徴とする。
【００１２】
本発明によれば、原稿の複写の指示を受け付けた場合、起動してから画像の形成が実行されたか否かを判断し、画像の形成は実行されていないと判断した場合、所定の画像データに基づく画像の形成を実行させ、該形成が完了した後に、原稿から取得した画像データに基づく画像の形成を開始させる。
【発明の効果】
【００１３】
本発明の画像処理装置は、原稿の複写の指示を受け付けた場合、起動してから画像の形成が実行されたか否かを判断する。画像の形成は実行されていないと判断した場合、画像処理装置は、１枚目の原稿の読取の実行中には、１枚目の原稿から取得した画像データに基づく画像の形成を開始させない。また、複数の原稿を連続して読み取る場合、画像処理装置は、１枚目の原稿から取得した画像データに基づく画像の形成の実行中には、２枚目以降の原稿の読取を開始させない。これにより、電源を投入した直後は、原稿の読取と画像の形成とを並行に行なわないので、電源を投入した直後にスキャナ及びプリンタを同時に動作させた場合にスキャナへ印加される電圧に生じる電圧降下を防止することができる。従って、大容量の電源装置を備えることなく、読取手段における光源の光量を確保でき、１枚目の原稿から読み取った画像データに基づいて記録用紙に形成した画像の画質の劣化を防止できる。
【００１４】
なお、一度画像の形成を実行させた場合、電源装置に対して並列に接続されたハードウェア各部による負荷が安定するため、複数の原稿を連続して読み取って複写を行なう場合の２枚目以降の処理においては、スキャナとプリンタとを同時に動作させても上述したような電圧降下は生じない。
【００１５】
本発明の画像処理装置は、原稿の複写の指示を受け付けた場合、起動してから画像の形成が実行されたか否かを判断する。画像の形成は実行されていないと判断した場合、画像処理装置は、所定のパルス長よりも短いパルス長のパルスを形成手段に入力することによって、１枚目の原稿から取得した画像データに基づき、入力したパルスのパルス長に応じた濃度での画像の形成を形成手段に開始させる。これにより、形成手段に正の温度定数を有するプリントヘッドが採用されている場合に、プリントヘッドに流れる突入電流の電流値を低減し、その他の素子へ印加される電圧に生じる虞のある電圧降下を防止できる。従って、読取手段における光源の光量を確保できるので、１枚目の原稿から読み取った画像データに基づいて記録用紙に形成した画像の画質の劣化を防止できる。
【００１６】
本発明の画像処理装置は、原稿の複写の指示を受け付けた場合、起動してから画像の形成が実行されたか否かを判断する。画像の形成は実行されていないと判断した場合、画像処理装置は、所定の画像データに基づく画像の形成を実行させ、該形成が完了した後に、原稿から取得した画像データに基づく画像の形成を開始させる。このように、原稿から取得した画像データに基づく画像の形成を行なう前に、ダミーデータのような所定の画像データに基づく画像の形成を実行させることによって、形成手段に電流を流し、電源に加わる負荷を早期に安定させる。従って、原稿から取得した画像データに基づく画像の形成を実行する際には、電源に加わる負荷が安定しているので、画像処理装置を構成するハードウェア各部に印加される電圧に電圧降下を発生させない。よって、読取手段における光源の光量を確保できる。従って、原稿から取得した画像データに基づいて記録用紙に形成した画像の画質の劣化を防止できる。
【発明を実施するための最良の形態】
【００１７】
（実施形態１）
以下に、本発明に係る画像処理装置を、その実施形態１である複写機を示す図面に基づいて詳述する。図１は本発明に係る画像処理装置を適用した本実施形態１の複写機の構成の一例を示すブロック図である。本実施形態１の複写機１は、制御部１０、ＲＯＭ（Read Only Memory）１１、ＲＡＭ（Random Access Memory）１２、操作部１３、表示部１４、画像読取部１５、画像メモリ１６、画像形成部１７、電源制御部１８等を備えており、それぞれはバス１ａを介して相互に接続されている。
【００１８】
制御部１０は、具体的にはＣＰＵ（Central Processing Unit）又はＭＰＵ（Micro Processor Unit）等で構成されており、バス１ａを介して接続される上述したようなハードウェア各部を制御すると共に、ＲＯＭ１１に格納された制御プログラムに従って、種々のソフトウェア的機能を実現する。ＲＯＭ１１は、複写機１を本発明の画像処理装置として動作させるために必要な種々の制御プログラムを予め記憶している。ＲＡＭ１２は、ＳＲＡＭ（Static RAM）又はフラッシュメモリ等で構成され、制御部１０による制御プログラムの実行時に発生するデータを一時的に記憶する。
【００１９】
操作部１３は、ユーザが複写機１を操作するために必要な各種のキーを備えている。ユーザにより各キーが操作された場合、操作部１３は操作されたキーに対応した制御信号を制御部１０へ送出し、制御部１０は操作部１３から取得した制御信号に対応した処理を実行する。表示部１４は、例えば液晶ディスプレイ（ＬＣＤ：Liquid Crystal Display）で構成されており、複写機１の動作状況、ユーザに通知すべき情報、操作部１３から入力された情報等を表示する。尚、表示部１４をタッチパネル方式とすることにより、操作部１３の各種のキーのうちの一部又は全部を代用することも可能である。
【００２０】
画像読取部１５は、例えばアレイ状に配列されたイメージセンサ及びアレイ状にＬＥＤを配列したＬＥＤ光源等からなるＣＩＳ１５ａ（図２参照）を利用したスキャナであり、原稿を読み取って画像データを取得する読取手段として動作する。画像読取部１５は、原稿を読み取って取得した画像データを画像メモリ１６に記憶させる。
【００２１】
なお、画像読取部１５は、所定の原稿載置台（図示せず）上に載置された原稿を静止させた状態で読み取るＦＢＳ（Flat Bed Scanner）であってもよいし、ＡＤＦ（Automatic Document Feeder ）機構を更に備え、所定の原稿載置台（図示せず）上に積層された原稿束からＡＤＦ機構によって１枚ずつ分離して搬送されてくる原稿を読み取る構成であってもよい。
【００２２】
画像メモリ１６は、画像読取部１５が原稿を読み取って取得した画像データを頁単位で一時的に記憶するためのメモリである。画像メモリ１６に記憶された画像データは、制御部１０からの指示に従って画像形成部１７へ出力される。
【００２３】
画像形成部１７は、例えばインクジェット方式のプリンタ装置であって、画像メモリ１６から出力された画像データに基づく画像を、ハードコピーとしてＡ３縦，Ｂ４縦，Ａ４縦，Ｂ５横及びＡ５横等の各サイズの記録用紙又はＯＨＰ（Over Head Projector）シート等から最適なサイズのものを選択して記録する。従って、画像形成部１７は、画像読取部１５が原稿を読み取って取得した画像データに基づく画像の形成を実行する形成手段として動作する。なお、画像形成部１７としては、インクジェット方式だけでなく、電子写真方式、熱転写方式、昇華方式等のプリンタ装置を利用できる。
【００２４】
電源制御部１８は、制御部１０からの指示に従って、複写機１を構成するハードウェア各部に電力を供給する電源装置１９の動作を制御する。
【００２５】
上述した構成の複写機１は、操作部１３に設けられた電源ボタン（図示せず）をユーザが操作した場合、電源装置１９がハードウェア各部への電力の供給を開始する。電源装置１９から電力の供給が開始された場合、制御部１０は、ＲＯＭ１１に格納された制御プログラムに従って起動を実行し、バス１ａに接続されたハードウェア各部を起動させる。
【００２６】
また、複写機１は、ユーザが操作部（受付手段）１３を操作して複写の実行を指示（複写の指示）した場合、制御部１０は、画像読取部１５によって所定の載置台に載置された原稿の読取を開始する。画像読取部１５によって原稿から読み取られた画像データは順次画像メモリ１６に蓄積され、制御部１０は、画像読取部１５による原稿の読取を開始してから所定時間が経過した後、画像メモリ１６に蓄積された画像データを所定のタイミングで画像形成部１７へ出力し、画像形成部１７による画像の形成を開始する。従って、本実施形態１の複写機１は、画像読取部１５による原稿の読取と、画像形成部１７による画像の形成とを並行して同時に実行させる。
【００２７】
なお、画像形成部１７による画像の形成を開始させるタイミングは、画像読取部１５による原稿の読取を開始してから所定時間が経過した場合に限られず、例えば、原稿から読み取られた画像データが画像メモリ１６にある程度蓄積されたタイミングでもよい。
【００２８】
図２は電源装置１９と複写機１を構成するハードウェア各部との接続状態を示すブロック図である。電源装置１９には、例えば、画像読取部１５におけるＣＩＳ１５ａ、画像形成部１７におけるプリントヘッド１７ａ、複写機１が備えるモータ２０等が並列に接続されている。モータ２０には、画像読取部１５によって読み取られる原稿を搬送させるための読取系モータ１５ｂ、画像形成部１７によって画像を形成される記録用紙を搬送させるための記録系モータ１７ｂ等が含まれる。このような接続状態において、電源電圧２４ＶがＣＩＳ１５ａ、プリントヘッド１７ａ、読取系モータ１５ｂ及び記録系モータ１７ｂ等に印加される。
【００２９】
図２に示すように、ＣＩＳ１５ａ、プリントヘッド１７ａ、読取系モータ１５ｂ及び記録系モータ１７ｂ等が電源装置１９に並列に接続されている複写機１において、電源装置１９から電力の供給が開始された直後に、画像読取部１５による原稿の読取と、画像形成部１７による画像の形成とを同時に実行させた場合、プリントヘッド１７ａ及び記録系モータ１７ｂを含む記録系の素子へ大きな電流が流れる。従って、ＣＩＳ１５ａ及び読取系モータ１５ｂを含む読取系の素子に印加される電圧に電圧降下が生じる。このような電圧降下が生じた場合、ＣＩＳ１５ａを構成するＬＥＤ光源の光量が低下すると共にＬＥＤ光源の光量にばらつきが生じる可能性がある。
【００３０】
そこで、本実施形態１の複写機１では、操作部１３を介してユーザからの複写の指示を受け付けた場合、制御部（判断手段）１０は、電源装置１９から電力の供給が開始されて起動してから、画像形成部１７による画像の形成が既に実行されたか否かを判断する。そして、起動後に画像の形成が実行されていない場合、即ち、起動後に初めて画像の形成を実行させる場合、制御部１０は、画像読取部１５によって１枚目の原稿の読取が完了するまで画像形成部１７による画像の形成を実行させない。
【００３１】
従って、制御部１０は、画像読取部１５によって１枚目の原稿の読取が完了した後に、画像読取部１５が１枚目の原稿から読み取った画像データに基づく画像の形成を画像形成部１７に実行させる。また、原稿載置台に複数の原稿が載置されており、複数の原稿を連続して読み取る場合、制御部１０は、画像形成部１７によって１枚目の原稿から読み取った画像データに基づく画像の形成が完了するまで画像読取部１５による原稿の読取を実行させない。
【００３２】
従って、制御部１０は、１枚目の原稿から読み取った画像データに基づく画像の形成が完了した後に、画像読取部１５による２枚目以降の原稿の読取を開始させる。これにより、電源投入直後は、原稿の読取と画像の形成とを同時に行なわないので、電源投入直後に画像読取部１５及び画像形成部１７を同時に動作させた場合に生じる電圧降下を防止できる。従って、画像読取部１５のＣＩＳ１５ａにおけるＬＥＤ光源の光量を確保でき、１枚目の原稿から読み取った画像データに基づいて記録用紙に形成した画像の画質の劣化を防止できる。
【００３３】
なお、画像形成部１７による画像の形成を一度実行させた場合、電源装置１９に対して並列に接続されたハードウェア各部による負荷が安定するため、以降の複写においては、原稿の読取と画像の形成とを同時に行なっても電圧降下を生じない。従って、以降の複写においては、画像読取部１５及び画像形成部１７を同時に動作させて複写を効率よく行なえる。
【００３４】
図３は制御部１０による処理を説明するためのタイミングチャートである。図３において横軸Ｔは時間を示している。図３には、複写機１に電源が投入された後に初めて実行される複写であり、４枚の原稿に対する複写について図示している。
【００３５】
操作部１３を介してユーザからの複写の指示を受け付けた場合、制御部１０は、図３に示すように、画像読取部１５による１枚目の原稿の読取を開始する。このとき、画像形成部１７による画像の形成は実行させない。画像読取部１５による１枚目の原稿の読取が完了した場合、制御部１０は、１枚目の原稿から読み取った画像データに基づく画像の形成を画像形成部１７に開始させる。このとき、画像読取部１５による原稿の読取は実行させない。
【００３６】
画像形成部１７による画像の形成が完了した場合、制御部１０は、画像読取部１５による２枚目の原稿の読取を開始させる。２枚目以降の原稿の複写においては、制御部１０は、画像読取部１５による原稿の読取を開始させた後、所定時間ｔが経過した後に、原稿を読み取って取得した画像データに基づく画像の形成を画像形成部１７に開始させる。
【００３７】
このように、電源投入後に初めて行なう複写において、１枚目の原稿の読取の実行中には画像の形成を実行させず、また、１枚目の原稿から読み取った画像データに基づく画像の形成の実行中には次の原稿の読取を実行させないことにより、電源投入直後に画像読取部１５及び画像形成部１７を同時に動作させた場合に生じる電圧降下を防止できる。
【００３８】
以下に、上述した構成の複写機１による制御についてフローチャートに基づいて説明する。図４は複写機１による複写の手順を示すフローチャートである。なお、以下の処理は、ＲＯＭ１１に格納されている制御プログラムに従って制御部１０により実行される。
【００３９】
制御部１０は、電源装置１９から電力の供給が開始され、起動した後、操作部１３によって複写の指示を受け付けたか否かを判断しており（Ｓ１）、複写の指示を受け付けていない場合（Ｓ１：ＮＯ）、複写の指示を受け付けるまで待機する。複写の指示を受け付けた場合（Ｓ１：ＹＥＳ）、制御部１０は、画像形成部１７による画像の形成が、起動後、初めての画像形成であるか否かを判断する（Ｓ２）。
【００４０】
初めての画像形成ではないと判断した場合（Ｓ２：ＮＯ）、制御部１０は、ステップＳ８へ処理を移行する。初めての画像形成であると判断した場合（Ｓ２：ＹＥＳ）、制御部１０は、画像読取部１５による原稿の読取を開始する（Ｓ３）。制御部１０は、画像読取部１５によって１枚目の原稿の読取が完了したか否かを判断しており（Ｓ４）、完了していない場合（Ｓ４：ＮＯ）、原稿の読取を継続する。
【００４１】
１枚目の原稿の読取が完了した場合（Ｓ４：ＹＥＳ）、制御部１０は、１枚目の原稿から取得した画像データに基づく画像の形成を画像形成部１７によって開始する（Ｓ５）。制御部１０は、１枚目の原稿から取得した画像データに基づく画像の形成が完了したか否かを判断しており（Ｓ６）、画像の形成が完了していない場合（Ｓ６：ＮＯ）、画像の形成を継続する。
【００４２】
画像の形成が完了した場合（Ｓ６：ＹＥＳ）、制御部１０は、複写の対象の原稿が有るか否かを判断し（Ｓ７）、無いと判断した場合（Ｓ７：ＮＯ）、上述した原稿の複写を終了する。
【００４３】
複写の対象の原稿が有ると判断した場合（Ｓ７：ＹＥＳ）、制御部１０は、２枚目以降の原稿に対して、通常の原稿の読取及び通常の画像の形成を開始する（Ｓ８）。なお、通常の原稿の読取及び通常の画像の形成とは、画像読取部１５による原稿の読取を開始してから所定時間が経過した後に、画像読取部１５によって原稿から読み取られた画像データに基づく画像の形成を画像形成部１７によって開始させる処理である。
【００４４】
制御部１０は、２枚目以降の原稿から読み取った画像データに基づく画像の形成が完了したか否かを判断しており（Ｓ９）、完了していない場合（Ｓ９：ＮＯ）、原稿の読取及び画像の形成を継続する。２枚目以降の原稿に対する読取及び画像の形成が完了した場合（Ｓ９：ＹＥＳ）、制御部１０は、上述した原稿の複写を終了する。
【００４５】
（実施形態２）
以下に、本発明に係る画像処理装置を、その実施形態２である複写機を示す図面に基づいて詳述する。なお、本実施形態２の複写機は、上述した実施形態１の複写機１と同様の構成によって実現できるので、構成についての説明は省略する。
【００４６】
本実施形態２の複写機１も、ユーザが操作部１３を操作して複写の実行を指示した場合、制御部１０は、画像読取部１５によって所定の載置台に載置された原稿の読取を開始する。画像読取部１５によって原稿から読み取られた画像データは順次画像メモリ１６に蓄積され、制御部１０は、画像読取部１５による原稿の読取を開始してから所定時間が経過した後、画像メモリ１６に蓄積された画像データを所定のタイミングで画像形成部１７へ出力し、画像形成部１７による画像の形成を開始する。従って、本実施形態１の複写機１は、画像読取部１５による原稿の読取と、画像形成部１７による画像の形成とを並行して同時に実行させる。
【００４７】
なお、画像形成部１７による画像の形成を開始させるタイミングは、画像読取部１５による原稿の読取を開始してから所定時間が経過した場合に限られず、例えば、原稿から読み取られた画像データが画像メモリ１６にある程度蓄積されたタイミングでもよい。
【００４８】
本実施形態２の複写機１において、制御部（制御手段）１０は、画像形成部１７のプリントヘッド１７ａに、所定の第１パルス長のパルスを入力することによって、画像メモリ１６から転送されてくる画像データに基づく画像の形成を画像形成部１７に開始させる。画像形成部１７は、制御部１０から入力されるパルスのパルス長に応じた濃度での画像の形成を実行する。なお、画像形成部１７は、制御部１０から入力されるパルスのパルス長が長いほど濃い濃度で画像を形成する。
【００４９】
また、本実施形態２の複写機１では、操作部１３を介してユーザからの複写の指示を受け付けた場合、制御部（判断手段）１０は、電源装置１９から電力の供給が開始されて起動してから、画像形成部１７による画像の形成が既に実行されたか否かを判断する。そして、起動後に画像の形成が実行されていない場合、即ち、起動後に初めて画像の形成を実行させる場合、制御部１０は、画像読取部１５によって１枚目の原稿から取得した画像データに基づく画像の形成を画像形成部１７に実行させる際に、第１パルス長よりも短い第２パルス長のパルスを画像形成部１７へ入力する。
【００５０】
なお、複数枚の原稿の複写を行なう場合、２枚目以降の原稿から取得した画像データに基づく画像の形成を画像形成部１７に実行させる際には、制御部１０は、第１パルス長のパルスを画像形成部１７へ入力する。
【００５１】
このように、画像形成部１７に入力するパルスのパルス長を短くすることにより、本実施形態２の複写機１は、電源投入直後の１枚目の原稿から読み取った画像データに基づく画像の形成の際に画像形成部１７に印加される突入電流の電流値を低減できる。これにより、電源投入直後に画像読取部１５及び画像形成部１７を同時に動作させた場合であっても、画像読取部１５へ印加される電圧に生じる電圧降下を抑制できる。従って、画像読取部１５のＣＩＳ１５ａにおけるＬＥＤ光源の光量を確保でき、１枚目の原稿から読み取った画像データに基づいて記録用紙に形成した画像の画質の劣化を防止できる。
【００５２】
なお、画像形成部１７による画像の形成を一度実行させた場合、電源装置１９に対して並列に接続されたハードウェア各部による負荷が安定するため、以降の複写においては、画像形成部１７に所定の第１パルス長のパルスを印加しても電圧降下を生じない。従って、以降の複写においては、所定の第１パルス長のパルスを画像形成部１７へ印加して、画像形成部１７によって記録用紙に形成された画像の濃度を確保できる。
【００５３】
以下に、上述した構成の複写機１による制御処理についてフローチャートに基づいて説明する。図５は複写機１による複写の手順を示すフローチャートである。なお、以下の処理は、ＲＯＭ１１に格納されている制御プログラムに従って制御部１０により実行される。
【００５４】
制御部１０は、電源装置１９から電力の供給が開始され、起動した後、操作部１３によって複写の指示を受け付けたか否かを判断しており（Ｓ１１）、複写の指示を受け付けていない場合（Ｓ１１：ＮＯ）、複写の指示を受け付けるまで待機する。複写の指示を受け付けた場合（Ｓ１１：ＹＥＳ）、制御部１０は、画像形成部１７による画像の形成が、起動後、初めての画像形成であるか否かを判断する（Ｓ１２）。
【００５５】
初めての画像形成であると判断した場合（Ｓ１２：ＹＥＳ）、制御部１０は、画像読取部１５による原稿の読取を開始する（Ｓ１３）。制御部１０は、画像読取部１５による原稿の読取を開始してから所定のタイミングで、第２パルス長のパルスを画像形成部１７に入力して、画像読取部１５によって１枚目の原稿から取得した画像データに基づく画像の形成を開始する（Ｓ１４）。
【００５６】
制御部１０は、ステップＳ１３で開始した１枚目の原稿の読取が完了したか否かを判断しており（Ｓ１５）、完了していない場合（Ｓ１５：ＮＯ）、原稿の読取及び画像の形成を継続する。１枚目の原稿の読取が完了した場合（Ｓ１５：ＹＥＳ）、制御部１０は、複写の対象の原稿が有るか否かを判断する（Ｓ１９）。
【００５７】
初めての画像形成ではないと判断した場合（Ｓ１２：ＮＯ）、制御部１０は、画像読取部１５による原稿の読取を開始し（Ｓ１６）、画像読取部１５による原稿の読取を開始してから所定のタイミングで、第１パルス長のパルスを画像形成部１７に入力して、画像読取部１５によって１枚目の原稿から取得した画像データに基づく画像の形成を開始する（Ｓ１７）。
【００５８】
制御部１０は、ステップＳ１６で開始した１枚目の原稿の読取が完了したか否かを判断しており（Ｓ１８）、完了していない場合（Ｓ１８：ＮＯ）、原稿の読取及び画像の形成を継続する。１枚目の原稿の読取が完了した場合（Ｓ１８：ＹＥＳ）、制御部１０は、複写の対象の原稿が有るか否かを判断する（Ｓ１９）。
【００５９】
複写の対象の原稿が有ると判断した場合（Ｓ１９：ＹＥＳ）、制御部１０は、画像読取部１５による次の原稿の読取を開始する（Ｓ２０）。制御部１０は、画像読取部１５による原稿の読取を開始してから所定のタイミングで、第１パルス長のパルスを画像形成部１７に入力して、画像読取部１５によって次の原稿から取得した画像データに基づく画像の形成を開始する（Ｓ２１）。
【００６０】
制御部１０は、ステップＳ２０で開始した画像読取部１５による原稿の読取が完了したか否かを判断しており（Ｓ２２）、完了していない場合（Ｓ２２：ＮＯ）、原稿の読取及び画像の形成を継続する。原稿の読取が完了した場合（Ｓ２２：ＹＥＳ）、制御部１０は、ステップＳ１９へ処理を戻し、複写の対象の原稿が有るか否かを判断する（Ｓ１９）。
【００６１】
複写の対象の原稿が無いと判断した場合（Ｓ１９：ＮＯ）、制御部１０は、ステップＳ１４、Ｓ１７又はＳ２１において開始した画像の形成が完了したか否かを判断し（Ｓ２３）、完了していない場合（Ｓ２３：ＮＯ）、画像の形成を継続する。画像の形成が完了した場合（Ｓ２３：ＹＥＳ）、制御部１０は、上述した原稿の複写を終了する。
【００６２】
（実施形態３）
以下に、本発明に係る画像処理装置を、その実施形態３である複写機を示す図面に基づいて詳述する。なお、本実施形態３の複写機は、上述した実施形態１の複写機１と同様の構成によって実現できるので、構成についての説明は省略する。
【００６３】
本実施形態３の複写機１も、ユーザが操作部１３を操作して複写処理の実行を指示した場合、制御部１０は、画像読取部１５によって所定の載置台に載置された原稿の読取を開始する。画像読取部１５によって原稿から読み取られた画像データは順次画像メモリ１６に蓄積され、制御部１０は、画像読取部１５による原稿の読取を開始してから所定時間が経過した後、画像メモリ１６に蓄積された画像データを所定のタイミングで画像形成部１７へ出力し、画像形成部１７による画像の形成を開始する。従って、本実施形態１の複写機１は、画像読取部１５による原稿の読取と、画像形成部１７による画像の形成とを並行して同時に実行させる。
【００６４】
なお、画像形成部１７による画像の形成を開始させるタイミングは、画像読取部１５による原稿の読取を開始してから所定時間が経過した場合に限られず、例えば、原稿から読み取られた画像データが画像メモリ１６にある程度蓄積されたタイミングでもよい。
【００６５】
本実施形態３の複写機１において、制御部１０は、操作部１３を介してユーザからの複写の指示を受け付けた場合、制御部（判断手段）１０は、電源装置１９から電力の供給が開始されて起動してから、画像形成部１７による画像の形成が既に実行されたか否かを判断する。そして、起動後に画像の形成が実行されていない場合、即ち、起動後に初めて画像の形成を実行させる場合、制御部１０は、画像読取部１５によって１枚目の原稿の読取を行なう前に、予めＲＯＭ１１に格納してあるダミーデータに基づく画像の形成を画像形成部１７に実行させる。
【００６６】
ダミーデータは、例えば全ての画素が黒となるデータである。また、ダミーデータに基づく画像の形成を画像形成部１７に実行させる場合、制御部１０は、ＲＯＭ１１から読み出したダミーデータを画像形成部１７へ入力し、画像の形成の開始の指示を画像形成部１７へ与えればよく、実際に記録用紙にダミーデータに基づく画像を形成する必要はない。
【００６７】
制御部１０は、ダミーデータに基づく画像の形成が完了した後に、画像読取部１５による原稿の読取を開始させ、画像読取部１５が原稿から取得した画像データに基づく画像の形成を画像形成部１７に実行させる。このように、電源投入後に初めて複写を実行する場合、複写を実行する前にダミーデータに基づく画像の形成によって画像形成部１７を動作させることにより、原稿の複写を実行する際には電源電圧に加わる負荷が安定しているので、画像読取部１５に印加される電圧に電圧降下が生じない。従って、画像読取部１５のＣＩＳ１５ａにおけるＬＥＤ光源の光量を確保でき、１枚目の原稿から読み取った画像データに基づいて記録用紙に形成した画像の画質の劣化を防止できる。
【００６８】
以下に、上述した構成の複写機１による制御についてフローチャートに基づいて説明する。図６は複写機１による複写の手順を示すフローチャートである。なお、以下の処理は、ＲＯＭ１１に格納されている制御プログラムに従って制御部１０により実行される。
【００６９】
制御部１０は、電源装置１９から電力の供給が開始され、起動した後、操作部１３によって複写の指示を受け付けたか否かを判断しており（Ｓ３１）、複写の指示を受け付けていない場合（Ｓ３１：ＮＯ）、複写の指示を受け付けるまで待機する。複写の指示を受け付けた場合（Ｓ３１：ＹＥＳ）、制御部１０は、画像形成部１７による画像の形成が、起動後、初めての画像形成であるか否かを判断する（Ｓ３２）。
【００７０】
初めての画像形成ではないと判断した場合（Ｓ３２：ＮＯ）、制御部１０は、ステップＳ３５へ処理を移行する。初めての画像形成であると判断した場合（Ｓ３２：ＹＥＳ）、制御部１０は、ＲＯＭ１１からダミーデータを読み出して画像形成部１７へ転送し、ダミーデータに基づく画像の形成を画像形成部１７によって開始する（Ｓ３３）。制御部１０は、ダミーデータに基づく画像の形成が完了したか否かを判断しており（Ｓ３４）、完了していない場合（Ｓ３４：ＮＯ）、画像の形成を継続する。
【００７１】
ダミーデータに基づく画像の形成が完了した場合（Ｓ３４：ＹＥＳ）、制御部１０は、画像読取部１５による原稿の読取を開始する（Ｓ３５）。制御部１０は、画像読取部１５による原稿の読取を開始してから所定のタイミングで、画像読取部１５によって１枚目の原稿から取得した画像データに基づく画像の形成を開始する（Ｓ３６）。制御部１０は、ステップＳ３５で開始した１枚目の原稿の読取が完了したか否かを判断しており（Ｓ３７）、完了していない場合（Ｓ３７：ＮＯ）、１枚目の原稿の読取と共に、１枚目の原稿から取得した画像データに基づく画像の形成を継続する。
【００７２】
１枚目の原稿の読取が完了した場合（Ｓ３７：ＹＥＳ）、制御部１０は、複写の対象の原稿が有るか否かを判断する（Ｓ３８）。複写の対象の原稿が有ると判断した場合（Ｓ３８：ＹＥＳ）、制御部１０は、ステップＳ３５へ処理を戻し、画像読取部１５による次の原稿の読取を開始し（Ｓ３５）、画像読取部１５による原稿の読取を開始してから所定のタイミングで、画像読取部１５によって次の原稿から取得した画像データに基づく画像の形成を開始する（Ｓ３６）。
【００７３】
複写の対象の原稿が無いと判断した場合（Ｓ３８：ＮＯ）、ステップＳ３６において開始した画像の形成が完了したか否かを判断し（Ｓ３９）、完了していない場合（Ｓ３９：ＮＯ）、画像の形成を継続する。画像の形成が完了した場合（Ｓ３９：ＹＥＳ）、制御部１０は、上述した原稿の複写を終了する。
【００７４】
上述した各実施形態１〜３では、本発明に係る画像処理装置を複写機１に適用した構成について説明した。しかし、ネットワークを介して外部の装置との間で通信を行なう構成を備え、原稿から読み取った画像データをネットワークを介して外部の装置へ送信する機能等を有する複合機においても、本発明を適用できる。
【図面の簡単な説明】
【００７５】
【図１】実施形態１の複写機の構成の一例を示すブロック図である。
【図２】電源装置と複写機を構成するハードウェア各部との接続状態を示すブロック図である。
【図３】制御部による処理を説明するためのタイミングチャートである。
【図４】複写機による複写の手順を示すフローチャートである。
【図５】複写機による複写の手順を示すフローチャートである。
【図６】複写機による複写の手順を示すフローチャートである。
【符号の説明】
【００７６】
１  複写機（画像処理装置）
１０  制御部（判断手段）
１３  操作部（受付手段）
１５  画像読取部（読取手段）
１７  画像形成部（形成手段）
【図１】
2008311929.tif 000003
【図２】
2008311929.tif 000004
【図３】
2008311929.tif 000005
【図４】
2008311929.tif 000006
【図５】
2008311929.tif 000007
【図６】
2008311929.tif 000008